(57)【要約】【課題】  電源部の小型化が可能なＬＥＤ照明灯を提供すること。【解決手段】  複数のＬＥＤチップを有するＬＥＤ発光部と、上記ＬＥＤ発光部に電力を供給する電源部３と、上記ＬＥＤ発光部および電源部３を支持する支持部材と、上記ＬＥＤ発光部、電源部３および上記支持部材を収容し、かつ上記ＬＥＤ発光部からの光を透過する、軸方向を有する筒状の透光カバーと、を備えるＬＥＤ照明灯であって、電源部３は、定電流制御を行う定電流制御回路３６を有しており、定電流制御回路３６は、１つのみのコンバータとしてのＭＯＳＦＥＴ３５ｂを有している。【選択図】  図５
2015060722.tif 000002
【特許請求の範囲】
【請求項１】
複数のＬＥＤチップを有するＬＥＤ発光部と、
上記ＬＥＤ発光部に電力を供給する電源部と、
上記ＬＥＤ発光部および上記電源部を支持する支持部材と、
上記ＬＥＤ発光部、上記電源部および上記支持部材を収容し、かつ上記ＬＥＤ発光部からの光を透過する、軸方向を有する筒状の透光カバーと、を備えるＬＥＤ照明灯であって、
上記電源部は、定電流制御を行う定電流制御回路を有しており、
上記定電流制御回路は、１つのみのコンバータを有していることを特徴とする、ＬＥＤ照明灯。
【請求項２】
上記コンバータは、ＭＯＳＦＥＴである、請求項１に記載のＬＥＤ照明灯。
【請求項３】
上記電源部は、複数の電子部品と、これらの電子部品が搭載された搭載面およびこの搭載面とは反対側を向く裏面を有する電源基板とを具備しており、
上記複数の電子部品は、上記コンバータを内蔵するコンバータＩＣを含んでいる、請求項１または２に記載のＬＥＤ照明灯。
【請求項４】
上記コンバータＩＣは、上記搭載面から上記電源基板の厚さ方向に起立した姿勢で搭載されている、請求項３に記載のＬＥＤ照明灯。
【請求項５】
上記コンバータＩＣは、上記電源基板の厚さ方向に対して直角である方向を厚さ方向とする偏平形状である、請求項４に記載のＬＥＤ照明灯。
【請求項６】
上記電源部は、上記コンバータＩＣに取り付けられた放熱板を有している、請求項５に記載のＬＥＤ照明灯。
【請求項７】
上記放熱板の厚さ方向は、上記コンバータＩＣの厚さ方向と一致している、請求項６に記載のＬＥＤ照明灯。
【請求項８】
上記放熱板は、上記電源基板に支持されている、請求項７に記載のＬＥＤ照明灯。
【請求項９】
上記コンバータＩＣは、上記放熱板に正対する金属露出面を有している、請求項８に記載のＬＥＤ照明灯。
【請求項１０】
上記コンバータと上記放熱板とは、クリップ部材によって固定されている、請求項８または９に記載のＬＥＤ照明灯。
【請求項１１】
上記電源基板は、上記透光カバーの軸方向を長手方向とする長矩形状であり、
上記コンバータＩＣおよび上記放熱板の厚さ方向は、上記電源基板の幅方向と一致している、請求項８ないし１０のいずれかに記載のＬＥＤ照明灯。
【請求項１２】
上記電源基板は、複数の貫通孔を有しており、
上記コンバータＩＣは、上記貫通孔を通して上記電源基板の上記裏面側に至る複数の端子を有している、請求項１１に記載のＬＥＤ照明灯。
【請求項１３】
上記電源部は、上記放熱板に接合されているとともに、上記貫通孔を通して上記電源基板の上記裏面側に至る支持ロッドを有する固定部材を有している、請求項１２に記載のＬＥＤ照明灯。
【請求項１４】
上記支持ロッドは、上記電源基板の上記裏面に対してはんだによって接合されている、請求項１３に記載のＬＥＤ照明灯。
【請求項１５】
上記ＬＥＤ発光部と上記電源部とは、上記軸方向と直角である方向において、上記支持部材を挟んで互いに反対側に位置している、請求項６ないし１４のいずれかに記載のＬＥＤ照明灯。
【請求項１６】
上記電源部は、上記電源基板の上記搭載面が上記支持部材に正対する姿勢とされている、請求項１５に記載のＬＥＤ照明灯。
【請求項１７】
上記電源基板の上記裏面には、白色のレジスト層が設けられている、請求項１６に記載のＬＥＤ照明灯。
【請求項１８】
上記支持部材は、支持面および裏面を有する底板部と、この底板部の両端に繋がり、かつ上記裏面が向く方向に起立した一対の側板部とを有している、請求項１５ないし１７のいずれかに記載のＬＥＤ照明灯。
【請求項１９】
上記ＬＥＤ発光部は、上記支持部材の上記底板部の上記支持面に支持されており、
上記電源部は、上記支持部材の上記底板部と上記一対の側板部とに囲まれた空間に配置されている、請求項１８に記載のＬＥＤ照明灯。
【請求項２０】
上記支持部材の上記底板部の上記裏面と上記電源部との間には、絶縁シートが介在している、請求項１９に記載のＬＥＤ照明灯。
【請求項２１】
上記絶縁シートは、上記底板部の上記裏面に接合されている、請求項２０に記載のＬＥＤ照明灯。
【請求項２２】
上記透光カバーは、上記ＬＥＤ発光部からの光を拡散させつつ透過させる、請求項１ないし２１のいずれかに記載のＬＥＤ照明灯。
【請求項２３】
上記ＬＥＤ発光部は、上記複数のＬＥＤチップを支持する細長状のＬＥＤ基板を備えており、
上記複数のＬＥＤチップは、上記ＬＥＤ基板の長手方向に沿って配列されている、請求項１ないし２２のいずれかに記載のＬＥＤ照明灯。
【発明の詳細な説明】
【技術分野】
【０００１】
本発明は、ＬＥＤ照明灯に関する。
【背景技術】
【０００２】
蛍光灯の代替製品として、ＬＥＤチップを光源として用いたＬＥＤ照明灯が提案されている。特許文献１には、いわゆる直管形蛍光灯の代替製品となるＬＥＤ照明灯が開示されている。このＬＥＤ照明灯においては、細長い円筒形の透光カバー内に、複数のＬＥＤチップが収容されている。このＬＥＤ照明灯が直管形蛍光灯の代替製品として使われる態様として、直管形の蛍光灯を装着することが意図された照明器具に装着される態様がある。
【０００３】
従前の直管形蛍光灯は、たとえば商用の１００Ｖ交流電力によって点灯する。一方、ＬＥＤチップは、直流電力によって点灯する。このため、上記ＬＥＤ照明灯は、交流電力を直流電力に変換（以下、ＡＣ／ＤＣ変換）する電源部を備える必要がある。ＡＣ／ＤＣ変換には、複数の電子部品が用いられる。また、ＬＥＤチップを適切に点灯させるには、ＡＣ／ＤＣ変換機能に加えて、定電流制御を行うことが好ましい。
【０００４】
しかしながら、ＡＣ／ＤＣ変換および定電流制御を行うことにより、多数のＬＥＤチップを点灯させようとすると、上記複数の電子部品における電力損失が増大し、効率が低下してしまう。ＬＥＤ照明灯は、省エネルギー化を目的として直管形蛍光灯の代わりに採用される場合が多い。このため、ＬＥＤ照明灯には、さらなる効率向上が求められ、上記電源部としてもいまだ改善の余地があった。
【先行技術文献】
【特許文献】
【０００５】
【特許文献１】特開２０１３−１６４１９号公報
【発明の概要】
【発明が解決しようとする課題】
【０００６】
本発明は、上記した事情のもとで考え出されたものであって、電源部の効率向上が可能なＬＥＤ照明灯を提供することをその課題とする。
【課題を解決するための手段】
【０００７】
本発明によって提供されるＬＥＤ照明灯は、複数のＬＥＤチップを有するＬＥＤ発光部と、上記ＬＥＤ発光部に電力を供給する電源部と、上記ＬＥＤ発光部および上記電源部を支持する支持部材と、上記ＬＥＤ発光部、上記電源部および上記支持部材を収容し、かつ上記ＬＥＤ発光部からの光を透過する、軸方向を有する筒状の透光カバーと、を備えるＬＥＤ照明灯であって、上記電源部は、定電流制御を行う定電流制御回路を有しており、上記定電流制御回路は、１つのみのコンバータを有していることを特徴としている。
【０００８】
本発明の好ましい実施の形態においては、上記コンバータは、ＭＯＳＦＥＴである。
【０００９】
本発明の好ましい実施の形態においては、上記電源部は、複数の電子部品と、これらの電子部品が搭載された搭載面およびこの搭載面とは反対側を向く裏面を有する電源基板とを具備しており、上記複数の電子部品は、上記コンバータを内蔵するコンバータＩＣを含んでいる。
【００１０】
本発明の好ましい実施の形態においては、上記コンバータＩＣは、上記搭載面から上記電源基板の厚さ方向に起立した姿勢で搭載されている。
【００１１】
本発明の好ましい実施の形態においては、上記コンバータＩＣは、上記電源基板の厚さ方向に対して直角である方向を厚さ方向とする偏平形状である。
【００１２】
本発明の好ましい実施の形態においては、上記電源部は、上記コンバータＩＣに取り付けられた放熱板を有している。
【００１３】
本発明の好ましい実施の形態においては、上記放熱板の厚さ方向は、上記コンバータＩＣの厚さ方向と一致している。
【００１４】
本発明の好ましい実施の形態においては、上記放熱板は、上記電源基板に支持されている。
【００１５】
本発明の好ましい実施の形態においては、上記コンバータＩＣは、上記放熱板に正対する金属露出面を有している。
【００１６】
本発明の好ましい実施の形態においては、上記コンバータと上記放熱板とは、クリップ部材によって固定されている。
【００１７】
本発明の好ましい実施の形態においては、上記電源基板は、上記透光カバーの軸方向を長手方向とする長矩形状であり、上記コンバータＩＣおよび上記放熱板の厚さ方向は、上記電源基板の幅方向と一致している。
【００１８】
本発明の好ましい実施の形態においては、上記電源基板は、複数の貫通孔を有しており、上記コンバータＩＣは、上記貫通孔を通して上記電源基板の上記裏面側に至る複数の端子を有している。
【００１９】
本発明の好ましい実施の形態においては、上記電源部は、上記放熱板に接合されているとともに、上記貫通孔を通して上記電源基板の上記裏面側に至る支持ロッドを有する固定部材を有している。
【００２０】
本発明の好ましい実施の形態においては、上記支持ロッドは、上記電源基板の上記裏面に対してはんだによって接合されている。
【００２１】
本発明の好ましい実施の形態においては、上記ＬＥＤ発光部と上記電源部とは、上記軸方向と直角である方向において、上記支持部材を挟んで互いに反対側に位置している。
【００２２】
本発明の好ましい実施の形態においては、上記電源部は、上記電源基板の上記搭載面が上記支持部材に正対する姿勢とされている。
【００２３】
本発明の好ましい実施の形態においては、上記電源基板の上記裏面には、白色のレジスト層が設けられている。
【００２４】
本発明の好ましい実施の形態においては、上記支持部材は、支持面および裏面を有する底板部と、この底板部の両端に繋がり、かつ上記裏面が向く方向に起立した一対の側板部とを有している。
【００２５】
本発明の好ましい実施の形態においては、上記ＬＥＤ発光部は、上記支持部材の上記底板部の上記支持面に支持されており、上記電源部は、上記支持部材の上記底板部と上記一対の側板部とに囲まれた空間に配置されている。
【００２６】
本発明の好ましい実施の形態においては、上記支持部材の上記底板部の上記裏面と上記電源部との間には、絶縁シートが介在している。
【００２７】
本発明の好ましい実施の形態においては、上記絶縁シートは、上記底板部の上記裏面に接合されている。
【００２８】
本発明の好ましい実施の形態においては、上記透光カバーは、上記ＬＥＤ発光部からの光を拡散させつつ透過させる。
【００２９】
本発明の好ましい実施の形態においては、上記ＬＥＤ発光部は、上記複数のＬＥＤチップを支持する細長状のＬＥＤ基板を備えており、上記複数のＬＥＤチップは、上記ＬＥＤ基板の長手方向に沿って配列されている。
【発明の効果】
【００３０】
本発明によれば、上記特定電子部品の一部が上記電源基板の上記空隙部に収容されていることにより、上記電源部の小型化を図ることができる。これにより、上記ＬＥＤ発光部を配置するための空間をより大きく確保することができる。
【００３１】
本発明のその他の特徴および利点は、添付図面を参照して以下に行う詳細な説明によって、より明らかとなろう。
【図面の簡単な説明】
【００３２】
【図１】本発明の第一実施形態に基づくＬＥＤ照明灯を示す一部切断正面図である。
【図２】図１のＬＥＤ照明灯を示す要部平面図である。
【図３】図２のＩＩＩ−ＩＩＩ線に沿う断面図である。
【図４】図１のＬＥＤ照明灯のＬＥＤ照明灯を示す断面図である。
【図５】図１のＬＥＤ照明灯のＬＥＤモジュールを示す断面図である。
【図６】図１のＬＥＤ照明灯の電源部を示す平面図である。
【図７】図１のＬＥＤ照明灯の電源部を示す側面図である。
【図８】図１のＬＥＤ照明灯の電源部のコンバータＩＣを示す要部平面図である。
【図９】図１のＬＥＤ照明灯の電源部のコンバータＩＣを示す要部正面図である。
【図１０】図１のＬＥＤ照明灯の電源部のコンバータＩＣを示す要部背面図である。
【図１１】図９のＸＩ−ＸＩ線に沿う要部断面図である。
【図１２】図９のＸＩＩ−ＸＩＩ線に沿う要部断面図である。
【図１３】図１のＬＥＤ照明灯の電源部を示す回路図である。
【発明を実施するための形態】
【００３３】
以下、本発明の好ましい実施の形態につき、図面を参照して具体的に説明する。
【００３４】
図１〜図４は、本発明の第一実施形態に基づくＬＥＤ照明灯を示している。本実施形態のＬＥＤ照明灯Ａ１は、支持部材１、ＬＥＤ発光部２、電源部３、透光カバー４および口金５を備えている。ＬＥＤ照明灯Ａ１は、直管形蛍光灯の代替品として用いられるものであり、たとえば天井Ｗに設置された直管形蛍光灯用の給電部６に装着される。図１は、ＬＥＤ照明灯Ａ１の正面図であり、理解の便宜上、透光カバー４の一部を切断している。図２は、ＬＥＤ照明灯Ａ１の平面図であり、理解の便宜上、透光カバー４の片側半分を省略している。図３は、図２のＩＩＩ−ＩＩＩ線に沿うｙｚ平面における断面図である。図４は、図２のＩＩＩ−ＩＩＩ線に沿うｙｚ平面と平行であって、電源部３を横切るｙｚ平面における断面図である。なお、ｚ方向は、透光カバー４の軸方向であり、ｘ方向は、透光カバー４の長手方向である。
【００３５】
支持部材１は、ＬＥＤ発光部２を支持するためのものであり、本実施形態においては、さらに電源部３を支持している。支持部材１は、たとえばアルミからなり、ＬＥＤ発光部２から発せられた熱を逃がす機能を果たす。支持部材１は、ｘ方向を長手方向とする細長状であり、底板部１１および一対の側板部１２を有している。なお、支持部材１は、たとえばアルミを対象材とした押出成形によって形成可能であり、この場合、断面形状は一定である。本実施形態においては、支持部材１のｙ方向寸法は、２０〜２８ｍｍ程度、ｚ方向寸法は、５〜１０ｍｍ程度である。
【００３６】
底板部１１は、ｘ方向を長手方向としｙ方向を幅方向とする略長矩形状であり、支持面１１ａおよび裏面１１ｂを有している。支持面１１ａと裏面１１ｂとは、底板部１１の厚さ方向において互いに反対側を向いている。支持面１１ａは、ＬＥＤ発光部２を支持する面である。裏面１１ｂは、電源部３と正対する面であり、本実施形態においては、絶縁シート１３が貼り付けられている。絶縁シート１３は、たとえばポリイミド樹脂などの絶縁材料からなる。一対の側板部１２は、底板部１１のｙ方向両端に繋がっており、ｚ方向に起立している。本実施形態においては、底板部１１と一対の側板部１２との境界部分は、なだらかに屈曲している。各側板部１２には、リブ１２ａが形成されている。リブ１２ａは、側板部１２のｚ方向中央付近にあり、ｙ方向外方に突出している。
【００３７】
ＬＥＤ発光部２は、ＬＥＤ基板２１および複数のＬＥＤモジュール２２を具備している。ＬＥＤ基板２１は、複数のＬＥＤモジュール２２が搭載されるものである。ＬＥＤ基板２１は、たとえばセラミックまたはガラスエポキシ樹脂などの絶縁材料からなる基材および配線パターン（図示略）からなる。ＬＥＤ基板２１は、ｘ方向を長手方向としｙ方向を幅方向とする略長矩形状である。本実施形態においては、ＬＥＤ基板２１が支持部材１の底板部１１の支持面１１ａにたとえば接着テープ（図示略）によって接合されている。
【００３８】
複数のＬＥＤモジュール２２は、ＬＥＤ基板２１にｘ方向に沿って一列に搭載されている。図５に示すように、ＬＥＤモジュール２２は、ＬＥＤチップ２２ａ、リード２２ｂ、ケース２２ｃおよび封止樹脂２２ｄを有する。ＬＥＤチップ２２ａは、たとえば青色光を発する。リード２２ｂは、ＬＥＤチップ２２ａを支持しており、またＬＥＤチップ２２ａへの導通経路を形成している。リード２２ｂは、たとえばＣｕからなる。ケース２２ｃは、リード２２ｂの少なくとも一部を覆い、かつＬＥＤチップ２２ａを囲む枠状に形成されており、たとえば白色のエポキシ樹脂からなる。封止樹脂２２ｄは、ＬＥＤチップ２２ａを覆っており、ケース２２ｃによって囲まれた領域に充填されている。封止樹脂２２ｄは、たとえば透明なエポキシ樹脂に蛍光材料が混入された材質からなる。この蛍光材料は、ＬＥＤチップ２２ａからの青色光によって励起されることにより、黄色光を発する。あるいは、ＬＥＤチップ２２ａからの青色光によって励起されることにより、赤色光を発する蛍光材料と緑色光を発する蛍光材料とを用いてもよい。このような構成により、ＬＥＤモジュール２２からは、たとえば昼光色などの白色、あるいは電球色などが発せられる。
【００３９】
本実施形態においては、複数のＬＥＤチップ２２ａは、１組が互いに直列に接続された３２個ずつのＬＥＤチップ２２ａからなる３組によって構成されており、これらの３組が互いに並列に接続されている。
【００４０】
電源部３は、電源基板３１および複数の電子部品３５からなる。電源部３は、たとえば商用の１００Ｖ交流電力を、ＬＥＤ発光部２を点灯させるのに適した定電流直流電力に変換する、ＡＣ／ＤＣ変換機能および定電流制御機能を果たす。図６は、電源部３を示す平面図であり、図７は、側面図である。図８は、コンバータＩＣ３５ａを示す要部平面図であり、図９は要部正面図、図１０は要部背面図である。図１１は、図９のＸＩ−ＸＩ線に沿うｙｚ平面における要部断面図であり、図１２は、図９のＸＩＩ−ＸＩＩ線に沿うｙｚ平面における要部断面図である。図１３は、電源部３を示す回路図である。
【００４１】
電源基板３１は、たとえばガラスエポキシ樹脂からなる基材を有しており、搭載面３１ａおよび裏面３１ｂを有している。搭載面３１ａおよび裏面３１ｂは、厚さ方向において互いに反対側を向いている。また、搭載面３１ａおよび裏面３１ｂには、配線パターン（図示略）が形成されている。この配線パターンは、複数の電子部品３５のための導通経路を構成する。本実施形態においては、電源基板３１は、ｘ方向寸法が２５２ｍｍ程度、ｙ方向寸法が１６ｍｍ程度である。
【００４２】
図６に示すように、電源基板３１は、一対ずつの入力端子３７および出力端子３８を有している。一対の入力端子３７は、外部からの電力供給を受ける部分であり、本実施形態においては、９０〜２６４Ｖの交流電力を受ける。一対の出力端子３８は、ＬＥＤ発光部２への電力を出力する部分であり、本実施形態においては、４０〜５４Ｖ、２５０〜３００ｍＡ、好ましくは２８５ｍＡ程度の直流電力を出力する。このため、上述したＬＥＤチップ２２ａの各組には、９５ｍＡずつが供給される。
【００４３】
複数の電子部品３５は、電源部３のＡＣ／ＤＣ変換機能や定電流制御を実現する電気回路を構成するものである。複数の電子部品３５は、電源基板３１の搭載面３１ａに実装されており、上記配線パターンを介して互いに適宜導通している。図１３に示すように、本実施形態においては、複数の電子部品３５は、たとえば、整流回路、昇圧回路、平滑回路、定電流回路３６および降圧回路を構成している。
【００４４】
上記整流回路は、入力端子３７から入力された交流電力を整流することにより直流電力へと変換する回路である。この整流回路は、たとえば複数のダイオードブリッジが内蔵された整流素子として構成された電子部品３５によって構成される。上記昇圧回路は、上記整流回路によって得られた直流電力を昇圧する回路である。この昇圧回路、たとえばコイル素子として構成された電子部品３５を含んで構成される。上記平滑回路は、上記整流回路および上記昇圧回路によって得られた直流電力に含まれるリップルと称される脈動成分を除去する回路である。この平滑回路は、たとえばコンデンサとして構成された電子部品３５を含んで構成される。
【００４５】
定電流回路３６は、上記平滑回路によって平滑化された直流電力をＬＥＤ発光部２の複数のＬＥＤチップ２２ａの点灯に適した定電流として出力する回路である。定電流回路３６は、複数の電子部品３５に含まれるコンバータＩＣ３５ａを主な機能素子として構成されている。
【００４６】
コンバータＩＣ３５ａは、１つのみのＭＯＳＦＥＴ３５ｂをコンバータとして有している。図８〜図１２に示すように、コンバータＩＣ３５ａは、全体として偏平な形状であり、本実施形態においては電源基板３１の幅方向であるｙ方向が厚さ方向と一致する姿勢で起立している。コンバータＩＣ３５ａは、ＭＯＳＦＥＴ３５ｂ、複数の端子３５ｃ、アイランド３５ｄおよび封止樹脂３５ｆを有している。また、図１３に示すように、コンバータＩＣ３５ａは、制御部（図中、ＣＯＮＴＯＲＯＬの符号が付された箇所）を有している。
【００４７】
アイランド３５ｄは、たとえばいわゆるリードの一部によって構成されており、たとえばＣｕなどの金属からなる。ＭＯＳＦＥＴ３５ｂは、半導体素子によって構成されており、本実施形態においてはアイランド３５ｄに接合されている。複数の端子３５ｃは、上記リードの一部であり、コンバータＩＣ３５ａを電源基板３１に搭載するためのものである。本実施形態においては、ｚ方向に沿った直線状の端子３５ｃと、途中部分が折り曲げられたクランク状の端子３５ｃとが備えられている。複数の端子３５ｃは、電源基板３１に形成された複数の貫通孔を通して、裏面３１ｂ側に突出している。複数の端子３５ｃのうち裏面３１ｂ側に突出した部分は、はんだ３５ｇによって裏面３１ｂに形成された上記配線パターンに導通接続されている。封止樹脂３５ｆは、ＭＯＳＦＥＴ３５ｂの全体と、アイランド３５ｄの一部とを覆っており、たとえば黒色のエポキシ樹脂からなる。アイランド３５ｄは、金属露出面３５ｅを有している。金属露出面３５ｅは、アイランド３５ｄのうち封止樹脂３５ｆから露出した面であり、本実施形態においては、ｙ方向を向く平面である。また、金属露出面３５ｅは、封止樹脂３５ｆの表面と面一であるか、若干突出することが好ましい。
【００４８】
さらに、電源部３は、放熱板３２、クリップ部材３３および２つの固定部材３４を備えている。放熱板３２は、コンバータＩＣ３５ａから発した熱を外部に放散するためのものであり、たとえばアルミなどの金属からなる板状部材である。本実施形態においては、放熱板３２は、ｘ方向を長手方向、ｚ方向を幅方向、ｙ方向を厚さ方向とする長矩形状であり、コンバータＩＣ３５ａと平行な姿勢で、電源基板３１に対して起立している。コンバータＩＣ３５ａの構成要素のうち、主な発熱要素はＭＯＳＦＥＴ３５ｂである。そして、放熱板３２には、アイランド３５ｄの金属露出面３５ｅが正対しており、本実施形態においては、放熱板３２と金属露出面３５ｅが接している。なお、放熱板３２と金属露出面３５ｅとは、単に接している構成でもよいし、熱伝導を向上させるための接合材を介して接合されていてもよい。
【００４９】
クリップ部材３３は、コンバータＩＣ３５ａと放熱板３２とを互いに固定するためのものである。クリップ部材３３は、たとえば金属板を折り曲げ加工することによって形成されており、コンバータＩＣ３５ａと放熱板３２とを挟持する弾性力を発揮する。図１１に示すように、本実施形態においては、クリップ部材３３は、ねじまたはリベットなどによって放熱板３２に取り付けられている。
【００５０】
２つの固定部材３４は、放熱板３２を電源基板３１に固定するためのものである。本実施形態においては、２つの固定部材３４は、放熱板３２のｘ方向両端付近に設けられている。各固定部材３４は、たとえば金属製であり、支持ロッド３４ａを有している。図１２に示すように、各固定部材３４は、ねじまたはリベットなどによって放熱板３２に固定されている。支持ロッド３４ａは、ｚ方向に延びる棒状部分であり、電源基板３１の貫通孔を通して、裏面３１ｂ側に突出している。支持ロッド３４ａのうち裏面３１ｂ側に突出した部分は、はんだ３４ｂによって裏面３１ｂに固定されている。なお、支持ロッド３４ａは、上記配線パターンの適所にはんだ３４ｂを介して接合されることが好ましい。この配線パターンの適所は、電気的に複数の電子部品３５とは絶縁された箇所、あるいは放熱板３２と導通することが許可される箇所、が望ましい。
【００５１】
上記降圧回路は、定電流回路３６からの直流電力をＬＥＤ発光部２の複数のＬＥＤチップ２２ａの点灯に適した電圧に降圧する回路である。この降圧回路は、トランスとして構成された電子部品３５を含んで構成される。
【００５２】
また、上記降圧回路と一対の出力端子３８との間には、複数の電子部品３５の一つであるコンデンサ３５ｈが配置されている。このコンデンサ３５ｈは、一対の出力端子３８に対して並列に接続されており、出力される直流電力の脈動（いわゆるリップル）を低減するために設けられている。
【００５３】
図３および図４に示すように、本実施形態においては、電源部３は、底板部１１と一対の側板部１２とに囲まれた空間に配置されている。また、電源部３は、電源基板３１の搭載面３１ａが支持部材１の底板部１１の裏面１１ｂと正対する姿勢とされている。このため、複数の電子部品３５は、ｚ方向において支持部材１の底板部１１と電源基板３１とに挟まれており、ｙ方向において一対の側板部１２に囲まれた格好となっている。また、図４に示すように、コンバータＩＣ３５ａは、底板部１１および電源基板３１に挟まれ、かつこれらと直角に起立した姿勢で搭載されている格好となっている。
【００５４】
図９〜図１２に示すように、電源基板３１の搭載面３１ａおよび裏面３１ｂには、レジスト層３９が設けられている。レジスト層３９は、たとえば白色であり、上記配線パターンのうち複数の電子部品３５と接合されるべき部位や一対ずつの入力端子３７および出力端子３８などを露出させる一方、それ以外の領域を広く覆っている。
【００５５】
透光カバー４は、ｘ方向に長く延びる略円筒形状であり、たとえば、塩化水銀などの拡散材を添加された透明なポリカーボネート樹脂により形成されている。透光カバー４は、ＬＥＤ発光部２からの光を拡散しつつ透過する。図３および図４に示すように、透光カバー４には、２つのリブ４１が形成されている。各リブ４１は、ｘ方向に長く延びており、ｙ方向内方に突出している。リブ４１に支持部材１のリブ１２ａが係合することにより、透光カバー４に対して支持部材１がずれたり回転したりすることが阻止されている。
【００５６】
口金５は、透光カバ−４の両端に取り付けられている。口金５は、給電部６に対してＬＥＤ照明灯Ａ１を取り付けるとともに、電源部３へと交流電力を導く経路となる。
【００５７】
次に、ＬＥＤ照明灯Ａ１の作用について説明する。
【００５８】
本実施形態によれば、電源部３の定電流回路３６によって、定電流制御された直流電力をＬＥＤ発光部２へと出力することができる。定電流回路３６は、１つのみのコンバータとしてのＭＯＳＦＥＴ３５ｂを有するコンバータＩＣ３５ａを含んでいる。コンバータは、定電流制御などを実現するために好ましい機能を発揮するが、電力損失が不可避的に発生してしまう。電源部３においては、定電流制御のためのコンバータとしてのＭＯＳＦＥＴ３５ｂを備えるものの、これ以外のコンバータは備えない。このため、たとえば別のコンバータを含む力率改善回路（ＰＦＣ）を備える構成の場合と比べて、電力損失を低減させることができる。したがって、電源部３の電力効率を向上させることができる。
【００５９】
特にＬＥＤ照明灯Ａ１のＬＥＤ発光部２は、各々が直列に接続された３２個のＬＥＤチップ２２ａからなる３組が互いに並列に接続された構成とされている。このように、直列数が並列数の１０倍を超えるほどに顕著に大であることにより、電源部３からＬＥＤ発光部２に供給する直流電力は、たとえば各組あたり９５ｍＡ程度、全体で２５０〜３００ｍＡ、好ましくは２８５ｍＡ程度と、比較的低電流である。一方、ＬＥＤ発光部２に供給される直流電力の電圧は、４０〜５４Ｖ程度と、比較的高電圧である。電源部３からの出力電力を定電流かつ高電圧とすることにより、電源部３は、力率改善回路を備えないにも関わらず、力率が０．９９と非常に高力率を達成している。そして、電源部３の電力効率は、９０％以上であり、上記好ましい条件においては９２％を超えるものとなる。このような高力率化および高効率化により、ＬＥＤ照明灯Ａ１の発光効率は、１２０ｌｍ／Ｗを超えるものとなっている。
【００６０】
また、コンデンサ３５ｈが一対の出力端子３８に対して並列に接続されていることによって、出力される直流電力の脈動（いわゆるリップル）を低減することができる。
【００６１】
図８〜図１２に示すように、コンバータＩＣ３５ａが電源基板３１に対して起立した姿勢であることにより、コンバータＩＣ３５ａから発生した熱が、たとえばコンバータＩＣ３５ａと電源基板３１との間にこもってしまうことを防止することができる。扁平形状であるコンバータＩＣ３５ａは、起立した状態で、その側面に沿って熱気が移動しやすい。したがって、コンバータＩＣ３５ａからの熱の放散をより促進することができる。
【００６２】
コンバータＩＣ３５ａに取り付けられた放熱板３２を備えることにより、コンバータＩＣ３５ａからの熱をより効率よく逃がすことができる。アルミからなる放熱板３２は、熱を逃がすのに適している。放熱板３２の厚さ方向がコンバータＩＣ３５ａの厚さ方向と一致していることにより、各々が扁平形状である放熱板３２とコンバータＩＣ３５ａとが寄り添った位置関係となる。これにより、両者間の伝熱を促進することができる。
【００６３】
放熱板３２が電源基板３１に支持されていることにより、放熱板３２の重量がコンバータＩＣ３５ａに負荷されてしまうことを防止可能であり、コンバータＩＣ３５ａが倒れてしまうことなどを回避することができる。また、放熱板３２の熱を電源基板３１へと逃がすことができる。コンバータＩＣ３５ａが金属露出面３５ｅを有することにより、ＭＯＳＦＥＴ３５ｂからの熱を金属露出面３５ｅから外部に放散することができる。特に、金属露出面３５ｅが放熱板３２に接していることは、放熱に好ましい。クリップ部材３３は、放熱板３２とコンバータＩＣ３５ａとを容易かつ確実に固定するのに適している。
【００６４】
放熱板３２が固定部材３４によって電源基板３１に取り付けられていることにより、放熱板３２を電源基板３１に適切に固定することができる。支持ロッド３４ａが電源基板３１の裏面３１ｂにはんだ３４ｂを介して固定されていることにより、固定部材３４を電源基板３１に対してより確実に固定するとともに、電源基板３１のより広い領域に放熱板３２からの熱を伝えることができる。
【００６５】
電源基板３１の搭載面３１ａが支持部材１の底板部１１の裏面１１ｂに正対する姿勢とされていることにより、複数の電子部品３５は、電源基板３１と支持部材１の底板部１１とに挟まれている。このため、ＬＥＤ照明灯Ａ１の外部から複数の電子部品３５が視認しにくい構成となっている。これにより、複数の電子部品３５が外部から視認され、ＬＥＤ照明灯Ａ１の見栄えが劣ってしまうことを防止することができる。また、電源基板３１の裏面３１ｂに白色のレジスト層３９が設けられていることにより、ＬＥＤ照明灯Ａ１の外観をより白く際だたせることができる。
【００６６】
支持部材１の底板部１１の裏面１１ｂとＬＥＤ発光部２との間に、絶縁シート１３が介在していることにより、支持部材１とＬＥＤ発光部２とが不当に導通してしまうことを防止することができる。
【００６７】
本発明に係るＬＥＤ照明灯は、上述した実施形態に限定されるものではない。本発明に係るＬＥＤ照明灯の各部の具体的な構成は、種々に設計変更自在である。
【符号の説明】
【００６８】
Ａ１      ＬＥＤ照明灯
１      支持部材
１１      底板部
１１ａ      支持面
１１ｂ      裏面
１２      側板部
１２ａ      リブ
１３      絶縁シート
２      ＬＥＤ発光部
２１      ＬＥＤ基板
２２      ＬＥＤモジュール
２２ａ      ＬＥＤチップ
２２ｂ      リード
２２ｃ      ケース
２２ｄ      封止樹脂
３      電源部
３１      電源基板
３１ａ      搭載面
３１ｂ      裏面
３２      放熱板
３３      クリップ部材
３４      固定部材
３４ａ      支持ロッド
３４ｂ      はんだ
３５      電子部品
３６      定電流回路
３５ａ      コンバータＩＣ
３５ｂ      ＭＯＳＦＥＴ
３５ｃ      端子
３５ｄ      アイランド
３５ｅ      金属露出面
３５ｆ      封止樹脂
３５ｇ      はんだ
３５ｈ      コンデンサ
３７      入力端子
３８      出力端子
３９      レジスト層
４      透光カバー
４１      リブ
５      口金
６      給電部
【図１】
2015060722.tif 000003
【図２】
2015060722.tif 000004
【図３】
2015060722.tif 000005
【図４】
2015060722.tif 000006
【図５】
2015060722.tif 000007
【図６】
2015060722.tif 000008
【図７】
2015060722.tif 000009
【図８】
2015060722.tif 000010
【図９】
2015060722.tif 000011
【図１０】
2015060722.tif 000012
【図１１】
2015060722.tif 000013
【図１２】
2015060722.tif 000014
【図１３】
2015060722.tif 000015